(57)【要約】  蓄電装置は、１または複数のセルからなる蓄電部と、蓄電部に関連する制御を行う第１の制御部と、蓄電部から出力される第１の電力を、負荷に対して供給する第１の電力ラインと、外部の装置が有する第２の制御部に対して、第１の電力より小さい第２の電力を供給する第２の電力ラインと、第１の制御部と第２の制御部とが通信を行う通信ラインとを備える。図２
2014162645.tif 000002
【特許請求の範囲】
【請求項１】
１または複数のセルからなる蓄電部と、
前記蓄電部に関連する制御を行う第１の制御部と、
前記蓄電部から出力される第１の電力を、負荷に対して供給する第１の電力ラインと、
外部の装置が有する第２の制御部に対して、前記第１の電力より小さい第２の電力を供給する第２の電力ラインと、
前記第１の制御部と前記第２の制御部とが通信を行う通信ラインと
を備える蓄電装置。
【請求項２】
前記第１の制御部は、前記通信ラインの状態の変化に応じて、第１の状態から第２の状態に遷移する
請求項１に記載の蓄電装置。
【請求項３】
前記第１の制御部は、前記第１の状態から前記第２の状態に遷移することに応じて、少なくとも、前記負荷に対して前記第１の電力を供給するための処理を実行する
請求項２に記載の蓄電装置。
【請求項４】
前記第１の状態において前記第１の制御部が実行する処理の消費電力が、前記第２の状態において前記第１の制御部が実行する処理の消費電力に比して小さい
請求項３に記載の蓄電装置。
【請求項５】
前記第１の電力を変換することにより前記第２の電力を形成し、前記第２の電力ラインに接続される電力変換部を備える
請求項１に記載の蓄電装置。
【請求項６】
前記第１の制御部は、前記蓄電部の電圧が第１の閾値を下回る場合に前記通信ラインの状態に関わらず前記負荷に対する前記第１の電力の供給を停止し、前記蓄電部の電圧が前記第１の閾値より小さい第２の閾値を下回る場合に、前記第２の制御部に対する前記第２の電力の供給を停止する
請求項１に記載の蓄電装置。
【請求項７】
前記第２の電力ラインに接続されるスイッチを備え、
前記第１の制御部は、前記蓄電部の電圧が前記第２の閾値を下回る場合に、前記スイッチをオフすることにより前記第２の制御部に対する前記第２の電力の供給を停止する
請求項６に記載の蓄電装置。
【請求項８】
充電電圧を検出する検出部を備え、
前記第１の制御部は、前記検出部により充電電圧が検出される場合に充電のための制御を実行する
請求項６に記載の蓄電装置。
【請求項９】
前記第１の電力ラインは、正の電力ラインと、負の電力ラインとを含み、
前記正の電力ラインにおける前記蓄電部の正極側から、充電制御用の第１のスイッチング素子と、放電制御用の第２のスイッチング素子とが接続され、
前記第１のスイッチング素子と前記第２のスイッチング素子との接続点に対して、前記第１の制御部および前記第２の電力ラインが接続される
請求項１に記載の蓄電装置。
【請求項１０】
前記セルは、リチウムイオン２次電池セルにより構成される
請求項１に記載の蓄電装置。
【請求項１１】
第１の装置と第２の装置とかなり、
前記第１の装置は、
１または複数のセルからなる蓄電部と、
前記蓄電部に関連する制御を行う第１の制御部と、
前記蓄電部から出力される第１の電力を、負荷に対して供給する第１の電力ラインと、
第２の制御部に対して、前記第１の電力より小さい第２の電力を供給する第２の電力ラインと、
前記第１の制御部と前記第２の制御部とが通信を行う通信ラインと
を備え、
前記第２の装置は、
前記第１の電力ラインを介して前記第１の電力が供給される前記負荷と、
前記第２の電力ラインを介して前記第２の電力が供給され、かつ、前記通信ラインを介して前記第１の制御部と通信を行う前記第２の制御部と
を備える蓄電システム。
【請求項１２】
前記第１の制御部は、前記通信ラインの状態の変化に応じて、第１の状態から第２の状態に遷移し、
前記第２の制御部は、所定の入力を検出することに応じて前記通信ラインの状態を変化させる
請求項１１に記載の蓄電システム。
【請求項１３】
１または複数のセルからなる蓄電部と、
前記蓄電部に関連する制御を行う第１の制御部と、
前記蓄電部から出力される第１の電力を、負荷に対して供給する第１の電力ラインと、
外部の装置が有する第２の制御部に対して、前記第１の電力より小さい第２の電力を供給する第２の電力ラインと、
前記第１の制御部と前記第２の制御部とが通信を行う通信ラインとを備える蓄電装置
を備える電動車両。
【発明の詳細な説明】
【技術分野】
【０００１】
本開示は、蓄電装置、蓄電システムおよび電動車両に関する。
【背景技術】
【０００２】
モータ等の負荷を有する装置に対して電力を供給する蓄電装置が普及している（例えば、下記特許文献１を参照のこと）。蓄電装置からの電力の供給先である装置（外部装置）は、通常、制御部（外部制御部）を備えている。
【先行技術文献】
【特許文献】
【０００３】
【特許文献１】特開２００３−２３５１５５号公報
【発明の概要】
【発明が解決しようとする課題】
【０００４】
特許文献１に記載の技術では、外部制御部を動作させるためのバッテリを必要とする。このようなバッテリを不要とするために、外部装置に備えられる外部制御部が、蓄電装置から供給される電力により動作することが望まれる。【０００５】
したがって、本開示の目的の一つは、外部装置に備えられる外部制御部が、蓄電装置から供給される電力により動作する蓄電装置、蓄電システムおよび電動車両を提供することにある。
【課題を解決するための手段】
【０００６】
上述した課題を解決するために、本開示は、例えば、
１または複数のセルからなる蓄電部と、
蓄電部に関連する制御を行う第１の制御部と、
蓄電部から出力される第１の電力を、負荷に対して供給する第１の電力ラインと、
外部の装置が有する第２の制御部に対して、第１の電力より小さい第２の電力を供給する第２の電力ラインと、
第１の制御部と第２の制御部とが通信を行う通信ラインと
を備える蓄電装置である。【０００７】
本開示は、例えば、
第１の装置と第２の装置とかなり、
第１の装置は、
１または複数のセルからなる蓄電部と、
蓄電部に関連する制御を行う第１の制御部と、
蓄電部から出力される第１の電力を、負荷に対して供給する第１の電力ラインと、
第２の制御部に対して、第１の電力より小さい第２の電力を供給する第２の電力ラインと、
第１の制御部と第２の制御部とが通信を行う通信ラインと
を備え、
第２の装置は、
第１の電力ラインを介して第１の電力が供給される負荷と、
第２の電力ラインを介して第２の電力が供給され、かつ、通信ラインを介して第１の制御部と通信を行う第２の制御部と
を備える蓄電システムである。【０００８】
本開示は、例えば、
１または複数のセルからなる蓄電部と、
蓄電部に関連する制御を行う第１の制御部と、
蓄電部から出力される第１の電力を、負荷に対して供給する第１の電力ラインと、
外部の装置が有する第２の制御部に対して、第１の電力より小さい第２の電力を供給する第２の電力ラインと、
第１の制御部と第２の制御部とが通信を行う通信ラインとを備える蓄電装置
を備える電動車両である。
【発明の効果】
【０００９】
少なくとも一つの実施形態によれば、外部装置に備えられる外部制御部が、蓄電装置から供給される電力により動作する。なお、本明細書における効果は例示であって、本開示の内容が例示した効果により限定的に解釈されるものではない。
【図面の簡単な説明】
【００１０】
【図１】一般的な蓄電システムの構成の一例を説明するための図である。
【図２】第１の実施形態における蓄電装置の構成の一例を示すブロック図である。
【図３】第１の実施形態における蓄電装置の動作の一例を説明するための図である。
【図４】第１の実施形態における蓄電装置における制御部により実行される処理の流れの一例を示すフローチャートである。
【図５】第１の実施形態における蓄電装置に接続される外部装置の制御部により実行される処理の流れの一例を示すフローチャートである。
【図６】第２の実施形態における蓄電装置の構成の一例を示すブロック図である。
【図７】リチウムイオン２次電池のセルの使用領域の一例を説明するための図である。
【図８】第２の実施形態における蓄電装置の制御部により実行される処理の流れの一例を示すフローチャートである。
【図９】第２の実施形態における蓄電装置の制御部により実行される、割り込み処理の流れの一例を示すフローチャートである。
【図１０】充電電圧検出部の変形例を説明するためのブロック図である。
【図１１】本開示の応用例を説明するための図である。
【図１２】本開示の応用例を説明するための図である。
【発明を実施するための形態】
【００１１】
以下、本開示の実施形態等について図面を参照しながら説明する。なお、説明は以下の順序で行う。
＜１．第１の実施形態＞
＜２．第２の実施形態＞
＜３．応用例＞
＜４．変形例＞
以下に説明する実施形態等は本開示の好適な具体例であり、本開示の内容がこれらの実施形態等に限定されるものではない。
【００１２】
なお、以下の説明において「Ａより小さい」はＡ以下と解釈されてもよくＡ未満と解釈されてもよい。「Ａより大きい」はＡ以上と解釈されてもよくＡを超えるものとして解釈されてもよい。
【００１３】
＜１．第１の実施形態＞
「一般的な蓄電システムの構成について」
始めに、本開示の理解を容易とするために、一般的な蓄電システムの構成について説明する。図１は、一般的な蓄電システム１の構成を示す。蓄電システム１は、蓄電装置２と、蓄電装置２に対して接続され、蓄電装置２の電力の供給先である外部装置３とを含む。
【００１４】
蓄電装置２は、１または複数の２次電池セル（適宜、セルと略称する）からなる蓄電部２１と、蓄電装置２における制御部（適宜、内部制御部と称する）２２とを含む。蓄電部２１の正極側に正の電力ラインＰＬ１が接続され、蓄電部２１の負極側に負の電力ラインＰＬ２が接続されている。電力ラインＰＬ１は、正極端子２３を介して外部装置３に接続される。電力ラインＰＬ２は、負極端子２４を介して外部装置３に接続される。内部制御部２２は、蓄電部２１から出力される電力を使用して動作する。
【００１５】
外部装置３は、負荷３１と、外部装置３における制御部（適宜、外部制御部と称する）３２とを含む。外部装置３は、正極端子３３および負極端子３４を有する。外部装置３は、正極端子３３を介して蓄電装置２の電力ラインＰＬ１に接続され、負極端子３４を介して蓄電装置２の電力ラインＰＬ２に接続される。外部制御部３２と内部制御部２２との間で所定の通信規格に基づく通信がなされる。
【００１６】
外部装置３で消費される電力（消費電力）の大きさは、負荷の稼働状態において大きくなる。例えば、負荷が稼働している状態の外部装置３の消費電力は数百Ｗ（ワット）になるのに対して、負荷の稼働が停止され、外部制御部３２のみが動作している状態の外部装置３の消費電力は数ｍＷ〜数Ｗ程度である。もちろん、これらの消費電力は一例であり、消費電力の大きさは負荷に応じて異なるものである。
【００１７】
なお、外部装置の負荷に対して電力が供給された状態、若しくはその状態で外部制御部が各種の処理を行う状態を、アクティブ状態と適宜、称する。一方で、負荷に対して電力が供給されていない状態、若しくはその状態で外部制御部が各種の処理を行う状態を、スリープ状態と適宜、称する。外部装置がアクティブ状態における消費電力は、外部装置がスリープ状態における消費電力より大きい。
【００１８】
ところで、蓄電装置２は、外部装置３がアクティブ状態かスリープ状態であるかを認識することができない。蓄電装置２は、外部装置３がアクティブ状態になることに備え、蓄電部２１の出力を供給し続ける必要がある。このため、蓄電装置２における内部制御部２２は、蓄電部２１に関連する制御、例えば、過放電防止、セルバランス制御、温度監視制御、電流監視制御を厳格に行う必要がある。
【００１９】
内部制御部２２が蓄電部２１に関連する制御を厳格に行うことにより、内部制御部２２の消費電力が増大し、蓄電部２１の残容量が低下するという問題がある。例えば、外部装置３がスリープ状態であれば外部装置３における消費電力は小さい。すなわち、蓄電部２１の残容量が急激に低下することは通常、考えられず、蓄電部２１に関連する制御を厳格に行う必要がない。本開示は、これらの点に鑑みてなされたものである。以下、本開示の一例について、詳細に説明する。
【００２０】
「２次電池の一例について」
実施形態において、使用される２次電池の一例は、正極活物質と、黒鉛等の炭素材料を負極活物質として含むリチウムイオン２次電池である。正極材料として特に限定はないが、好ましくは、オリビン構造を有する正極活物質を含有するものである。
【００２１】
オリビン構造を有する正極活物質としてさらに好ましくは、リチウム鉄リン酸化合物（ＬｉＦｅＰＯ4 ）、または、異種原子を含有するリチウム鉄複合リン酸化合物（ＬｉＦｅxＭ1-xＯ4 ：Ｍは１種類以上の金属、ｘは０＜ｘ＜１である。）が好ましい。また、Ｍが２種以上の場合は、各々の下付数字の総和が１−ｘとなるように選定される。
【００２２】
Ｍとしては、遷移元素、ＩＩＡ族元素、ＩＩＩＡ族元素、ＩＩＩＢ族元素、ＩＶＢ族元素等が挙げられる。特にコバルト（Ｃｏ），ニッケル，マンガン（Ｍｎ），鉄，アルミニウム，バナジウム（Ｖ），およびチタン（Ｔｉ）のうちの少なくとも１種を含むものが好ましい。
【００２３】
正極活物質は、リチウム鉄リン酸化合物またはリチウム鉄複合リン酸化合物の表面に、該酸化物とは異なる組成の金属酸化物（例えば、Ｎｉ、Ｍｎ、Ｌｉなどから選択されるもの）やリン酸化合物（例えば、リン酸リチウム等）等を含む被覆層が施されていてもよい。
【００２４】
リチウム（Ｌｉ）を吸蔵および放出することが可能な正極材料として、層状岩塩構造を有するコバルト酸リチウム（ＬｉＣｏＯ2）、ニッケル酸リチウム（ＬｉＮｉＯ2）、マンガン酸リチウム（ＬｉＭｎＯ2）、スピネル構造を有するマンガン酸リチウム（ＬｉＭｎ2Ｏ4）などのリチウム複合酸化物が使用されてもよい。
【００２５】
本開示における黒鉛としては、特に限定はなく、業界において用いられる黒鉛材料を広く用いることができる。負極の材料として、チタン酸リチウム、シリコン（Ｓｉ）系材料、スズ（Ｓｎ）系材料等が使用されてもよい。
【００２６】
本開示にかかる電池の電極の製造法としては、特に限定はなく、業界において用いられている方法を広く用いることができる。
【００２７】
本開示における電池構成としては、特に限定はなく、公知の構成を広く用いることができる。
【００２８】
本開示に用いられる電解液としては、特に限定はなく、液状、ゲル状を含み、業界において用いられる電解液を広く用いることができる。
【００２９】
電解液溶媒として好ましくは、４−フルオロ−１，３−ジオキソラン−２−オン（ＦＥＣ）、炭酸エチレン、炭酸プロピレン、炭酸ブチレン、炭酸ビニレン（ＶＣ）、炭酸ジメチル、炭酸ジエチル、炭酸エチルメチル、γ−ブチロラクトン、γ−バレロラクトン、１，２−ジメトキシエタン、テトラヒドロフラン、２−メチルテトラヒドロフラン、１，３−ジオキソラン、４−メチル−１，３−ジオキソラン、酢酸メチル、プロピオン酸メチル、プロピオン酸エチル、アセトニトリル、グルタロニトリル、アジポニトリル、メトキシアセトニトリル、３−メトキシプロピロニトリル、Ｎ，Ｎ−ジメチルフォルムアミド、Ｎ−メチルピロリジノン、Ｎ−メチルオキサゾリジノン、ニトロメタン、ニトロエタン、スルホラン、ジメチルスルフォキシド、リン酸トリメチル、リン酸トリエチル、エチレンスルフィド、およびビストリフルオロメチルスルホニルイミドトリメチルヘキシルアンモニウム、さらに好ましくは４−フルオロ−１，３−ジオキソラン−２−オン（ＦＥＣ）、炭酸エチレン、炭酸プロピレン、炭酸ブチレン、炭酸ビニレン（ＶＣ）、炭酸ジメチル、炭酸ジエチル、炭酸エチルメチル、γ−ブチロラクトン、γ−バレロラクトンである。
【００３０】
電解液支持塩として好ましくは、六フッ化リン酸リチウム（ＬｉＰＦ6）、ビス（ペ
ンタフルオロエタンスルホニル）イミドリチウム（Ｌｉ（Ｃ2Ｆ5ＳＯ2）2Ｎ）、過塩素酸リチウム（ＬｉＣｌＯ4）、六フッ化ヒ酸リチウム（ＬｉＡｓＦ6）、四フッ化ホウ酸リチウム（ＬｉＢＦ4）、トリフルオロメタンスルホン酸リチウム（ＬｉＳＯ3ＣＦ3）、ビス（トリフルオロメタンスルホニル）イミドリチウム（Ｌｉ（ＣＦ3ＳＯ2）2Ｎ）、トリス（トリフルオロメタンスルホニル）メチルリチウム（ＬｉＣ（ＳＯ2ＣＦ3）3である。
【００３１】
リチウムイオン２次電池は、形状に応じて角型、円筒型、平板型等に分類することができる。本開示におけるリチウムイオン２次電池の形状は特に限定されるものではないが、ここでは一例として、円筒型のリチウムイオン２次電池が使用される。１の円筒型のリチウムイオン２次電池をセルと適宜、称する。リチウムイオン２次電池のセルの平均的な出力電圧は、例えば、３．０Ｖ（ボルト）程度であり、満充電電圧は、例えば、４．２Ｖ程度である。また、リチウムイオン２次電池のセルの容量は、例えば、３Ａｈ（アンペアアワー）（３０００ｍＡｈ（ミリアンペアアワー））である。
【００３２】
「蓄電装置の構成」
図２は、第１の実施形態における蓄電装置の構成の一例を示す。蓄電装置１００を構成する各部は、例えば、所定の形状の外装ケースに収納される。外装ケースは、高い伝導率および輻射率を有する材料を用いることが望ましい。高い伝導率および輻射率を有する材料を用いることにより、外装ケースにおける優れた放熱性を得ることができる。優れた放熱性を得ることで、外装ケース内の温度上昇を抑制できる。さらに、外装ケースの開口部を最小限または、廃止することができ、高い防塵防滴性を実現できる。外装ケースは、例えば、アルミニウムまたはアルミニウム合金、銅、銅合金等の材料が使用される。蓄電装置１００の外装ケースには、蓄電装置１００の用途に応じた脱着機構等が形成される。
【００３３】
蓄電装置１００は、１または複数のセルからなる蓄電部を有する。この例では、３つのセル（セルＣＥ１，ＣＥ２およびＣＥ３）により蓄電部１０３が構成される。セルＣＥ１、セルＣＥ２およびセルＣＥ３が直列に接続される。もちろん、セルの個数や接続態様は、蓄電装置の用途に応じて適宜、変更できる。例えば、複数のセルが並列に接続されてもよい。また、複数のセルが並列に接続されたもの（サブモジュールなどと称される場合がある）が直列に接続されたものでもよい。
【００３４】
セルＣＥ１の正極側から正の電力ラインＰＬ１０５が延伸する。電力ラインＰＬ１０５に対して、正極端子１１０が接続される。セルＣＥ３の負極側から負の電力ラインＰＬ１０６が延伸する。電力ラインＰＬ１０６に対して、負極端子１１１が接続される。正の電力ラインＰＬ１０５および負の電力ラインＰＬ１０６を介して、外部装置に対して蓄電部１０３の電力（第１の電力の一例）が供給される。第１の電力を使用して、例えば、外部装置の負荷が動作する。
【００３５】
蓄電装置１００の電力ラインＰＬ１０５に対して、電力ラインＰＬ１０７が接続される。例えば、電力ラインＰＬ１０５における、後述の充電制御部および放電制御部の接続中点に電力ラインＰＬ１０７が接続される。電力ラインＰＬ１０７に対して、電力供給端子（適宜、Ｓ端子と称する）１１２が接続される。Ｓ端子１１２からは、蓄電部１０３の電力を変換することにより得られる電力（第２の電力の一例）が出力される。この第２の電力を使用して、例えば、外部装置の外部制御部が動作する。第１の実施形態では、蓄電装置１００と外部装置とが接続された状態で、Ｓ端子１１２から常時、第２の電力が出力される。
【００３６】
なお、蓄電装置１００が外部装置に対して、正極端子１１０および負極端子１１１を介して第１の電力を供給する状態、若しくはその状態において後述のＭＣＵが所定の処理を行う状態を、アクティブ状態と適宜、称する。蓄電装置１００が外部装置に対して、Ｓ端子１１２および負極端子１１１を介して第２の電力を供給する状態、若しくはその状態において後述のＭＣＵが所定の処理を行う状態を、スリープ状態と適宜、称する。このスリープ状態が特許請求の範囲における第１の状態の一例とされ、アクティブ状態が特許請求の範囲における第２の状態の一例とされる。
【００３７】
蓄電装置１００は、外部装置と通信を行うための通信ラインＳＬ１０９を有する。通信ラインＳＬ１０９に通信端子（適宜、Ｃ端子と称する）１１５が接続される。蓄電装置１００と外部装置との間で、所定の通信規格に基づく通信ラインＳＬ１０９を介した双方向の通信がなされる。所定の通信規格として、例えば、シリアル通信の規格であるＩ２ＣやＳＭＢｕｓ(System Management Bus)、ＳＰＩ(Serial Peripheral Interface)、ＣＡＮ等の規格が例示される。なお、通信は、有線でもよく無線でもよい。さらに、上述した通信規格に基づく通信を行うための通信ラインとは別個の通信ラインが設けられてもよい。
【００３８】
Ｃ端子１１５は、例えば、蓄電装置１００内においてプルアップされている。Ｃ端子１１５の状態が論理的にローである場合には、蓄電装置１００はアクティブ状態となる。Ｃ端子１１５の状態が論理的にハイである場合には、蓄電装置１００はスリープ状態となる。もちろん、Ｃ端子１１５の状態が論理的にハイである場合に蓄電装置１００がアクティブ状態となり、Ｃ端子１１５の状態が論理的にローである場合に蓄電装置１００がスリープ状態となるようにしてもよい。Ｃ端子１１５の状態の変化は、例えば、外部装置の外部制御部の制御によりなされ、この変化が蓄電装置１００のＭＣＵにより検出される。
【００３９】
蓄電装置１００は、内部制御部の一例であるＭＣＵ(Main Control Unit)１２０と、電圧マルチプレクサ（ＭＵＸ）１２１と、ＡＤＣ(Analog to Digital Converter)１２２と、監視部１２３と、温度測定部１２５と、温度測定部１２８と、温度マルチプレクサ１３０と、加温部１３１と、電流検出抵抗１３２と、電流検出アンプ１３３と、ＡＤＣ１３４と、レギュレータ１３９と、ヒューズ１４０と、充電制御部１４４と、放電制御部１４５と、を含む。さらに、各セルに対応してＦＥＴ(Field Effect Transistor)が設けられる。
【００４０】
ＭＣＵ１２０は、蓄電装置１００の各部を制御する。ＭＣＵ１２０は、例えば、蓄電部１０３に関連する制御を行う。蓄電部１０３に関連する制御として、蓄電部１０３を構成する各セルの温度や電圧、蓄電部１０３に流れる電流等を監視する制御や、過電流防止や過放電防止のため等の蓄電装置１００の安全を確保する制御、蓄電部１０３を構成するセルのセルバランスをとるための制御等が例示される。
【００４１】
ＭＣＵ１２０は、蓄電装置１００がアクティブ状態である場合には、蓄電部１０３に関連する制御を厳格に行う。これに対して、蓄電装置１００がスリープ状態である場合には、ＭＣＵ１２０は、蓄電部１０３に関連する制御を厳格には行わない。すなわち、ＭＣＵ１２０は、アクティブ状態でなされる蓄電部１０３に関連する制御の一部を省略したり、周期的になされる処理の周期を長くする。例えば、蓄電装置１００がスリープ状態である場合には、ＭＣＵ１２０は、蓄電部１０３の残容量（ＳＯＣ(State Of Charge)）の監視およびＣ端子１１５の状態の変化の監視のみを行う。このため、スリープ状態におけるＭＣＵ１２０の消費電力はアクティブ状態におけるＭＣＵ１２０の消費電力より小さい。
【００４２】
電圧マルチプレクサ１２１は、電圧検出部（図示は省略している）により検出される各セルの電圧をＡＤＣ１２２に対して出力する。各セルの電圧は、充電中および放電中を問わず、所定の周期でもって検出される。例えば、蓄電装置１００がアクティブ状態では、２５０ｍｓ（ミリ秒）の周期でもって、各セルの電圧が電圧検出部により検出される。この例では、３のセルにより蓄電部１０３が構成されることから、３のアナログ電圧データが電圧マルチプレクサ１２１に供給されることになる。
【００４３】
電圧マルチプレクサ１２１は、所定の周期でもってチャネルを切り換え、３のアナログ電圧データ中から一のアナログ電圧データを選択する。電圧マルチプレクサ１２１によって選択された一のアナログ電圧データが、ＡＤＣ１２２に供給される。そして、電圧マルチプレクサ１２１は、チャネルを切り換え、次のアナログ電圧データをＡＤＣ１２２に供給する。なお、電圧マルチプレクサ１２１におけるチャネルの切り換えは、例えば、ＭＣＵ１２０により制御される。
【００４４】
温度測定部１２５は、各セルの温度を検出する。温度測定部１２５は、サーミスタ等の温度を検出する素子からなる。各セルの温度は、例えば、充電中および放電中を問わず、所定の周期でもって検出される。なお、３つのセルのうち最も高い温度を温度測定部１２５から出力される温度としてもよく、３つのセルの温度の平均値を温度測定部１２５から出力される温度としてもよい。
【００４５】
温度測定部１２５によって検出された各セルの温度を示すアナログ温度データが、温度マルチプレクサ１３０に供給される。この例では、３個のセルにより蓄電部１０３が構成されることから、３のアナログ温度データが温度マルチプレクサ１３０に供給されることになる。
【００４６】
温度マルチプレクサ１３０は、例えば、所定の周期でもってチャネルを切り替え、３のアナログ温度データから一のアナログ温度データを選択する。温度マルチプレクサ１３０によって選択された一のアナログ温度データが、ＡＤＣ１２２に供給される。そして、温度マルチプレクサ１３０は、チャネルを切り換え、次のアナログ温度データをＡＤＣ１２２に供給する。なお、温度マルチプレクサ１３０におけるチャネルの切り換えは、例えば、ＭＣＵ１２０による制御に応じて行われる。
【００４７】
温度測定部１２８は、蓄電装置１００全体の温度を測定する。温度測定部１２８により蓄電装置１００の外装ケース内の温度が測定される。温度測定部１２８により測定されたアナログ温度データが温度マルチプレクサ１３０に供給され、温度マルチプレクサ１３０からＡＤＣ１２２に供給される。そして、アナログ温度データがＡＤＣ１２２によりデジタル温度データに変換される。デジタル温度データがＡＤＣ１２２から監視部１２３に供給される。
【００４８】
ＡＤＣ１２２は、電圧マルチプレクサ１２１から供給されるアナログ電圧データをデジタル電圧データに変換する。ＡＤＣ１２２は、アナログ電圧データを、例えば、１４〜１８ビットのデジタル電圧データに変換する。ＡＤＣ１２２における変換方式には、逐次比較方式やΔΣ（デルタシグマ）方式など、種々の方式を適用できる。
【００４９】
ＡＤＣ１２２は、例えば、入力端子と、出力端子と、制御信号が入力される制御信号入力端子と、クロックパルスが入力されるクロックパルス入力端子とを備える（なお、これらの端子の図示は省略している）。入力端子には、アナログ電圧データが入力される。出力端子からは、変換後のデジタル電圧データが出力される。
【００５０】
制御信号入力端子には、例えば、ＭＣＵ１２０から供給される制御信号（制御コマンド）が入力される。制御信号は、例えば、電圧マルチプレクサ１２１から供給されるアナログ電圧データの取得を指示する取得指示信号である。取得指示信号が入力されると、ＡＤＣ１２２によってアナログ電圧データが取得され、取得されたアナログ電圧データがデジタル電圧データに変換される。そして、クロックパルス入力端子に入力される同期用のクロックパルスに応じて、デジタル電圧データが出力端子を介して出力される。出力されたデジタル電圧データが監視部１２３に供給される。
【００５１】
さらに、制御信号入力端子には、温度マルチプレクサ１３０から供給されるアナログ温度データの取得を指示する取得指示信号が入力される。取得指示信号に応じて、ＡＤＣ１２２はアナログ温度データを取得する。取得されたアナログ温度データが、ＡＤＣ１２２によってデジタル温度データに変換される。アナログ温度データが、例えば１４〜１８ビットのデジタル温度データに変換される。変換されたデジタル温度データが出力端子を介して出力され、出力されたデジタル温度データが監視部１２３に供給される。なお、電圧データおよび温度データのそれぞれを処理するＡＤＣが別個に設けられる構成としてもよい。ＡＤＣ１２２の機能ブロックが、電圧や温度を所定値と比較するコンパレータの機能を有するようにしてもよい。
【００５２】
ＡＤＣ１２２から監視部１２３に対して、例えば、３のデジタル電圧データや３のデジタル温度データが時分割多重されて送信される。送信データのヘッダに各セルを識別する識別子を記述し、どのセルの電圧や温度であるかを示すようにしてもよい。
【００５３】
電流検出抵抗１３２は、３つのセルに流れる電流値を検出する。電流検出抵抗１３２によって、アナログ電流データが検出される。アナログ電流データは、例えば、充電中および放電中を問わず、所定の周期でもって検出される。
【００５４】
電流検出アンプ１３３は、検出されたアナログ電流データを増幅するものである。電流検出アンプ１３３のゲインは、例えば、５０〜１００倍程度に設定される。電流検出アンプ１３３により増幅されたアナログ電流データがＡＤＣ１３４に供給される。
【００５５】
ＡＤＣ１３４は、電流検出アンプ１３３から供給されるアナログ電流データをデジタル電流データに変換する。ＡＤＣ１３４によって、アナログ電流データが、例えば１４〜１８ビットのデジタル電流データに変換される。ＡＤＣ１３４における変換方式には、逐次比較方式やΔΣ（デルタシグマ）方式など、種々の方式を適用できる。
【００５６】
ＡＤＣ１３４は、例えば、入力端子と、出力端子と、制御信号が入力される制御信号入力端子と、クロックパルスが入力されるクロックパルス入力端子とを備える（これらの端子の図示は省略している）。入力端子には、アナログ電流データが入力される。出力端子からは、デジタル電流データが出力される。
【００５７】
ＡＤＣ１３４の制御信号入力端子には、例えば、ＭＣＵ１２０から供給される制御信号（制御コマンド）が入力される。制御信号は、例えば、電流検出アンプ１３３から供給されるアナログ電流データの取得を指示する取得指示信号である。取得指示信号が入力されると、ＡＤＣ１３４によってアナログ電流データが取得され、取得されたアナログ電流データがデジタル電流データに変換される。そして、クロックパルス入力端子に入力される同期用のクロックパルスに応じて、デジタル電流データが出力端子から出力される。出力されたデジタル電流データが監視部１２３に供給される。なお、ＡＤＣ１２２およびＡＤＣ１３４を同一のＡＤＣとして構成してもよい。
【００５８】
監視部１２３は、ＡＤＣ１２２から供給されるデジタル電圧データおよびデジタル温度データをＭＣＵ１２０に出力する。さらに、監視部１２３は、ＡＤＣ１３４から供給されるデジタル電流データをＭＣＵ１２０に出力する。ＭＣＵ１２０は、監視部１２３から供給される各種のデータに基づいて、蓄電部１０３に関連する制御を行う。
【００５９】
加温部１３１は、各セルを適宜、加温する。加温部１３１は、例えば、所定の抵抗値を有する抵抗電線からなり、各セルの近傍に設けられる。蓄電装置１００内において、各セルを効率よく加温できるように抵抗電線が配され、抵抗電線に対して電流を流すことにより、各セルが加熱される。加温部１３１に対する制御（例えば、加温部１３１のオン／オフ）は、例えば、ＭＣＵ１２０により行われる。
【００６０】
レギュレータ１３９は、電力ラインＰＬ１０５とＭＣＵ１２０との間に設けられる。例えば、レギュレータ１３９は、充電制御部１４４および放電制御部１４５の接続中点に対して接続される。ＭＣＵ１２０は、例えば、レギュレータ１３９を介して、充電制御部１４４および放電制御部１４５の接続中点に接続される。レギュレータ１３９は、蓄電部１０３の電圧からＭＣＵ１２０の動作電圧（例えば、３．３Ｖまたは５Ｖ）を形成し、形成した動作電圧をＭＣＵ１２０に対して供給する。すなわち、ＭＣＵ１２０は、蓄電部１０３の電力により動作する。
【００６１】
なお、Ｓ端子１１２（電力ラインＰＬ１０７）は、レギュレータ１３９における電力の出力端に接続されているが、レギュレータ１３９における電力の入力端に接続されてもよい。
【００６２】
電力変換部の一例であるヒューズ１４０は、電力ラインＰＬ１０７における、電力ラインＰＬ１０５とＳ端子１１２との間に設けられる。ヒューズ１４０は、例えば、ポリスイッチとして構成される。ヒューズ１４０は、蓄電部１０３の電力を変換（制限）して、蓄電部１０３の電力（第１の電力）より小さい第２の電力を形成するものである。第２の電力がＳ端子１１２から外部装置の外部制御部に出力される。なお、ＭＣＵ１２０の動作電圧と外部装置の外部制御部の動作電圧とが同一である場合には、レギュレータ１３９の出力をＳ端子１１２から出力させればよく、ヒューズ１４０を設ける必要はない。さらに、ヒューズ１４０は、電力を変換できるものであれば他の構成でもよい。例えば、ヒューズに代えて小電力出力型のＤＣ(Direct Current)−ＤＣコンバータを使用してもよい。
【００６３】
記憶部１４２は、ＲＯＭ(Read Only Memory)やＲＡＭ(Random Access Memory)などからなる。記憶部１４２には、例えば、ＭＣＵ１２０によって実行されるプログラムが格納される。記憶部１４２は、さらに、ＭＣＵ１２０が処理を実行する際のワークエリアとして使用される。記憶部１４２に充電および放電の履歴等が記憶されてもよい。
【００６４】
充電制御部１４４は、充電制御スイッチ１４４ａと、充電制御スイッチ１４４ａと並列に放電電流に対して順方向に接続されるダイオード１４４ｂとからなる。放電制御部１４５は、放電制御スイッチ１４５ａと、放電制御スイッチ１４５ａと並列に充電電流に対して順方向に接続されるダイオード１４５ｂとからなる。充電制御スイッチ１４４ａおよび放電制御スイッチ１４５ａとしては、例えば、ＩＧＢＴ(Insulated Gate Bipolar Transistor)やＭＯＳＦＥＴ(Metal Oxide Semiconductor Field Effect Transistor)を使用することができる。なお、充電制御部１４４および放電制御部１４５が、負の電源ラインに挿入されても良い。
【００６５】
充電制御スイッチ１４４ａおよび放電制御スイッチ１４５ａに対するオン／オフの制御は、例えば、ＭＣＵ１２０によりなされる。図２では、ＭＣＵ１２０から充電制御スイッチ１４４ａおよび放電制御スイッチ１４５ａに対する制御信号の流れが点線の矢印により示されている。
【００６６】
蓄電部１０３の構成（３個のセル）に対応して、３のＦＥＴ（ＦＥＴ１、ＦＥＴ２およびＦＥＴ３）が各セルの端子間に設けられる。ＦＥＴは、例えば、パッシブ方式のセルバランス制御を行うためものである。
【００６７】
ＦＥＴにより行われるセルバランス制御の概要について説明する。例えば、セルＣＥ２の劣化が他のセルより進行し、セルＣＥ２の内部インピーダンスが増加したとする。この状態で蓄電装置１００に対する充電を行うと、内部インピーダンスの増加により、セルＣＥ２が正常な電圧まで充電されない。このため、各セル間の電圧のバランスにばらつきが生じる。
【００６８】
セル間の電圧のバランスのばらつきを解消するために、ＦＥＴ１およびＦＥＴ３をオンし、セルＣＥ１およびセルＣＥ３を所定の電圧値まで放電させる。放電後にＦＥＴ１およびＦＥＴ３をオフする。放電後は、各セルの電圧は、例えば、所定値（例えば、３．０Ｖ）となりセル間のバランスがとれる。なお、セルバランス制御の方式はパッシブ方式に限らず、いわゆるアクティブ方式や他の公知の方式を適用できる。
【００６９】
上述した蓄電装置の構成は一例である。例示した構成の一部が省略されてもよく、例示した構成と異なる構成が追加されてもよい。
【００７０】
「蓄電装置の動作」
図３を参照して、蓄電装置１００の動作の一例について説明する。なお、図３では、蓄電装置および外部装置の構成を簡略化して図示している。図３に示すように、蓄電装置１００に対して外部装置１５０が接続される。蓄電装置１００および外部装置１５０により、蓄電システム１０が形成される。なお、蓄電装置１００が外部装置１５０に固定されてもよく、蓄電装置１００が外部装置１５０に対して着脱自在とされてもよい。
【００７１】
外部装置１５０は、ＣＰＵ(Central Processing Unit)等により構成される外部制御部１５１および負荷１５２を有する。外部装置１５０は、蓄電装置１００の構成に対応して、正極端子１６０と、負極端子１６１と、Ｓ端子１６２と、Ｃ端子１６３とを有する。正極端子１６０が蓄電装置１００の正極端子１１０に対して接続される。負極端子１６１が蓄電装置１００の負極端子１１１に対して接続される。Ｓ端子１６２が蓄電装置１００のＳ端子１１２に対して接続される。Ｃ端子１６３が蓄電装置１００のＣ端子１１５に対して接続される。なお、この例では、外部装置を小型ＥＶ(Electric Vehicle)(小型電動自動車)とし、負荷１５２をモータとして説明する。
【００７２】
小型ＥＶが使用されていない場合には、蓄電装置１００および外部装置１５０は、ともにスリープ状態となる。Ｃ端子１１５およびＣ端子１６３の状態（レベル）は、ハイである。負荷１５２に対して電力を供給する必要がないため、充電制御スイッチ１４４ａおよび放電制御スイッチ１４５ａがオフされる。蓄電部１０３の電力は、負荷１５２に対して供給されない。
【００７３】
一方、外部制御部１５１に対しては電力を供給する必要がある。特に、近年、自動車のドアの開閉や自動車の始動指示は、物理的なスイッチに代わりソフトウェアスイッチが普及している。ソフトウェアスイッチとは、例えば、リモートコントロール装置を使用した入力や物理的なキーを不要とした入力（例えば、所定の携帯装置を持つ者のみが行うことができる入力）である。これらの入力の有無を監視するために、外部制御部１５１を常に起動させておく必要がある。
【００７４】
外部制御部１５１を起動するための電源を蓄電装置１００と別個に設けることは、その電源に対する安全確保等の制御を行う必要があり、非効率である。そこで、外部制御部１５１は蓄電部１０３の電力を使用して動作する。
【００７５】
蓄電部１０３からの電力は、ダイオード１４４ｂを介してヒューズ（図ではＦと略している）１４０に供給される。ヒューズ１４０により第２の電力が形成される。この第２の電力がＳ端子１１２に供給される。Ｓ端子１１２から出力された電力がＳ端子１６２を介して外部制御部１５１に供給される。外部制御部１５１は、供給される電力に基づいて動作し、スリープ状態では、例えば、小型ＥＶにおける始動指示の有無のみを監視する。負荷１５２は駆動していないため、外部制御部１５１が負荷１５２に対する制御を行う必要はない。
【００７６】
なお、外部装置１５０がスリープ状態において外部制御部１５１が行う処理の負荷は小さい。このため、外部制御部１５１による消費電力は僅かである。外部制御部１５１による消費電力が僅かであるため、蓄電部１０３の残容量や温度に与える影響も少ない。そこで、ＭＣＵ１２０は、通常の周期よりも長い周期でもって、残容量の監視を行う。また、一部の処理（例えば、温度の監視等の処理）を行わないようにする。これにより、ＭＣＵ１２０における消費電力を低減できる。
【００７７】
ここで、小型ＥＶに対する始動指示がなされたとする。所定の入力の一例である始動指示が外部制御部１５１により検出される。外部制御部１５１は、自身をスリープ状態からアクティブ状態に遷移させ、例えば、外部装置１５０におけるイニシャライズ処理やシステムのチェックを行う。さらに、外部制御部１５１は、Ｃ端子１６３の状態をローに引き下げる。これにともなって、Ｃ端子１１５の状態もローに変化する。
【００７８】
Ｃ端子１１５の状態の変化がＭＣＵ１２０により検出される。Ｃ端子１１５の状態がローになったことを検出したＭＣＵ１２０は、自身をスリープ状態からアクティブ状態に遷移させ、アクティブ状態に応じた処理を実行する。アクティブ状態に遷移したＭＣＵ１２０は、例えば、少なくとも放電制御スイッチ１４５ａをオンする処理（あわせて、充電制御スイッチ１４４ａをオンしてもよい）を行う。これにより、蓄電部１０３の電力が電力ラインＰＬ１０５および電力ラインＰＬ１０６を介して負荷１５２に供給される。外部制御部１５１は、負荷１５２を駆動する制御を行う。負荷１５２は、蓄電部１０３の電力により駆動する。
【００７９】
蓄電部１０３の電力が負荷１５２に供給されることから、ＭＣＵ１２０は、蓄電部１０３に関連する制御を厳格に行う。例えば、ＭＣＵ１２０は、蓄電部１０３に流れる電流量の監視や各セルの電圧および温度の監視する処理、セル間のバランスをとる処理を行い、蓄電装置１００の安定動作に努める。この処理の結果に基づいて、ＭＣＵ１２０は、充電制御スイッチ１４４ａおよび放電制御スイッチ１４５ａを適宜、オン／オフし蓄電装置１００の安全を確保する。蓄電装置１００の安全を確保する処理は、公知の処理を適用できる。一例を示せば、セルの温度が所定値より高い場合や、各セルの電圧のうち最も低い電圧が所定の電圧より低い場合に、放電制御スイッチ１４５ａをオフする。
【００８０】
ここで、小型ＥＶに対する動作停止指示がなされたとする。この動作停止指示が外部制御部１５１により検出される。外部制御部１５１は、自身をアクティ状態からスリープ状態に遷移させ、例えば、負荷１５２の駆動を停止する。さらに、外部制御部１５１は、Ｃ端子１６３の状態をハイに引き下げる。これにともなって、Ｃ端子１１５の状態もハイに変化する。スリープ状態に遷移した外部制御部１５１は、例えば、始動指示の入力の有無のみを監視する。この監視処理は、例えば、定期的に行われる。
【００８１】
Ｃ端子１１５の状態の変化がＭＣＵ１２０により検出される。Ｃ端子１１５の状態がハイになったことを検出したＭＣＵ１２０は、自身をアクティブ状態からスリープ状態に遷移させ、スリープ状態に応じた処理を実行する。スリープ状態に遷移したＭＣＵ１２０は、例えば、放電制御スイッチ１４５ａおよび充電制御スイッチ１４４ａオフし、各セルの残容量の監視およびＣ端子の状態の監視のみを行う。これにより、蓄電部１０３の電力の負荷１５２への供給は停止するが、外部制御部１５１への電力の供給は継続する。
【００８２】
以上のようにして、蓄電装置の電力を使用して外部制御部を動作させることができる。さらに、外部装置の状態に応じて蓄電装置の制御部の動作を変更することにより、例えば、スリープ状態における蓄電装置および外部装置の消費電力を低減することができる。
【００８３】
「処理の流れ」
図４は、蓄電装置１００における処理の流れの一例を示すフローチャートである。ステップＳ１０１では、蓄電装置１００がスリープ状態であるか、または、アクティブ状態であるかが判断される。この例では、Ｃ端子１１５の状態がハイであれば蓄電装置１００はスリープ状態であり、Ｃ端子１１５の状態がローであれば蓄電装置１００はアクティブ状態である。蓄電装置１００がスリープ状態であれば、処理がステップＳ１０２に進む。
【００８４】
ステップＳ１０２では、ＭＣＵ１２０がスリープ状態に応じた処理を実行する。例えば、ＭＣＵ１２０は、蓄電部１０３を構成する各セルの残容量を監視する処理を行う。もちろん、この処理の結果、蓄電装置１００に異常があると判断される場合には、それに対処する処理が行われる。しかしながら、蓄電装置１００がスリープ状態である場合には、外部装置１５０もスリープ状態であり外部装置１５０の消費電力も小さい。このため、蓄電装置１００において、過放電やセルの温度の異常上昇が起きる可能性は小さい。
【００８５】
さらに、ＭＣＵ１２０は、Ｃ端子１１５の状態を監視する処理を行う。そして、処理がステップＳ１０３に進む。
【００８６】
ステップＳ１０３では、Ｃ端子１１５の状態に変化があるか否かがＭＣＵ１２０により判断される。この例では、Ｃ端子１１５の状態がハイからローに変化したか否かが判断される。Ｃ端子１１５の状態に変化がない場合は、処理がステップＳ１０２に戻る。Ｃ端子１１５の状態に変化がある場合は、処理がステップＳ１０４に進む。
【００８７】
ステップＳ１０４において、Ｃ端子１１５の状態の変化を検出したＭＣＵ１２０は、自身をアクティブ状態に遷移させる。そして、処理がステップＳ１０５に進む。
【００８８】
ステップＳ１０５において、アクティブ状態に遷移したＭＣＵ１２０は、放電制御スイッチ１４５ａをオンする。これにより、蓄電部１０３の電力が負荷１５２に供給される。そして、処理がステップＳ１０１に進み、ステップＳ１０１による判断の結果、処理がステップＳ１０６に進む。
【００８９】
ステップＳ１０６において、ＭＣＵ１２０は、アクティブ状態に応じた処理を実行する。例えば、蓄電部１０３に流れる電流の監視や、各セルの電圧の監視、セルの温度監視、セルバランスをとる処理等を実行する。もちろん、これらの処理の結果、蓄電装置１００に異常があると判断される場合には、それに対処する処理が行われる。なお、ステップＳ１０５における放電制御スイッチ１４５ａをオンする処理もアクティブ状態に応じた処理に含まれる。なお、充電処理（充電制御スイッチ１４４ａに対する制御）がなされる場合は、当該充電処理もアクティブ状態に応じた処理に含まれる。そして、処理がステップＳ１０７に進む。
【００９０】
ステップＳ１０７では、Ｃ端子１１５の状態に変化があるか否かがＭＣＵ１２０により判断される。この例では、Ｃ端子１１５の状態がローからハイに変化したか否かが判断される。Ｃ端子１１５の状態に変化がない場合は、処理がステップＳ１０６に戻る。Ｃ端子１１５の状態に変化がある場合は、処理がステップＳ１０８に進む。
【００９１】
ステップＳ１０８において、Ｃ端子１１５の状態の変化を検出したＭＣＵ１２０は、自身をスリープ状態に遷移させる。そして、処理がステップＳ１０９に進む。
【００９２】
ステップＳ１０９において、スリープ状態に遷移したＭＣＵ１２０は、充電制御スイッチ１４４ａおよび放電制御スイッチ１４５ａをオフする。これにより、蓄電部１０３の電力の負荷１５２への供給が停止する。そして、処理がステップＳ１０１に進み、ステップＳ１０１による判断の結果、処理がステップＳ１０２に進み、ＭＣＵ１２０がスリープ状態に応じた処理を実行する。なお、ステップＳ１０９における放電制御スイッチ１４５ａをオフする処理もスリープ状態に応じた処理に含まれる。また、充電がなされる場合の充電を停止する処理（充電制御スイッチ１４４ａをオフする処理）もスリープ状態に応じた処理に含まれる。
【００９３】
図５は、外部装置１５０における処理の流れの一例を示すフローチャートである。ここでは、外部装置１５０の初期状態がスリープ状態であるものとして説明する。
【００９４】
ステップＳ１２０において、外部制御部１５１は、スリープ状態に応じた処理を実行する。この例では、負荷１５２の起動指示の有無を監視する。そして、処理がステップＳ１２１に進む。
【００９５】
ステップＳ１２１では、負荷１５２の起動指示が有るか否かの判断が行われる。負荷１５２の起動指示が無い場合は処理がステップＳ１２０に戻り、ステップＳ１２０の判断が繰り返される。負荷１５２の起動指示が有る場合は、処理がステップＳ１２２に進む。
【００９６】
ステップＳ１２２において、外部制御部１５１は、自身をアクティブ状態に遷移させるとともに、Ｃ端子１６３の状態を例えば、ハイからローに引き下げる。これにともなって、蓄電装置１００におけるＣ端子１１５の状態がハイからローに変化し、蓄電部１０３の電力が電力ラインＰＬ１０５および電力ラインＰＬ１０６を介して負荷１５２に供給される。そして、処理がステップＳ１２３に進む。
【００９７】
ステップＳ１２３において、外部制御部１５１は、負荷１５２に対する各種の制御を実行する。そして、処理がステップＳ１２４に進む。
【００９８】
ステップＳ１２４では、負荷の動作停止指示があるか否かが外部制御部１５１により判断される。負荷の動作停止指示がない場合は、処理がステップＳ１２３に戻る。負荷の動作停止指示がある場合は、処理がステップＳ１２５に進む。
【００９９】
ステップＳ１２５において、外部制御部１５１は、負荷の動作を停止した後、Ｃ端子１６３の状態を例えば、ローからハイに引き上げる。これにともなって、蓄電装置１００におけるＣ端子１１５の状態がローからハイに変化し、蓄電部１０３の電力の負荷１５２への供給が停止する。そして、処理がステップＳ１２６に進む。
【０１００】
ステップＳ１２６において、外部制御部１５１は、自身をアクティブ状態からスリープ状態に遷移させる。そして、処理がステップＳ１２０に戻る。なお、外部制御部１５１に対しては、Ｓ端子１６２を介して電力が供給されるため、外部制御部１５１が動作し続けることができる。
【０１０１】
＜２．第２の実施形態＞
「蓄電装置の構成」
次に、第２の実施形態について説明する。図６は、第２の実施形態における蓄電装置１８０の構成の一例を示す。なお、蓄電装置１８０において、同一または対応する構成には同一の参照符号を付し、重複した説明を省略する。
【０１０２】
蓄電装置１８０は、電力ラインＰＬ１０５における正極端子１１０と放電制御部１４５との間に、充電電圧検出部１４８が設けられている。充電電圧検出部１４８は、例えば、コンパレータにより構成され、基準電圧と正極端子１１０の電圧とを比較できるようになされている。充電電圧検出部１４８は、比較結果をＭＣＵ１２０に対して出力する。ＭＣＵ１２０は、充電電圧検出部１４８から供給される比較結果に応じて、充電の有無を検出できる。
【０１０３】
蓄電装置１８０の電力ラインＰＬ１０７におけるヒューズ１４０の前段に、スイッチＳＷ１０１が設けられている。ヒューズ１４０の後段にスイッチＳＷ１０１が設けられてもよい。スイッチＳＷ１０１のオン／オフは、例えば、ＭＣＵ１２０により制御される。スイッチＳＷ１０１がオフされると、外部制御部１５１への電力（第２の電力）の供給が停止する。
【０１０４】
「蓄電装置の動作」
蓄電装置１８０の動作の一例について説明する。蓄電装置１８０に対しては、負荷を有する外部装置のほか、充電装置が接続される場合がある。充電装置が接続された場合の蓄電装置１８０の動作の一例について説明する。
【０１０５】
蓄電装置１８０に対して接続された充電装置は、Ｃ端子１１５と負極端子１１１とを短絡させるとともに、正極端子１１０に充電電圧を印加する。Ｃ端子１１５と負極端子１１１とが短絡されることにより、Ｃ端子１１５の状態がローになりＭＣＵ１２０がアクティブ状態に遷移する。さらに、充電電圧検出部１４８により充電電圧が検出され、その結果がＭＣＵ１２０に対して供給される。すなわち、ＭＣＵ１２０は、Ｃ端子１１５の状態の変化と充電電圧検出部１４８からの充電電圧の有無の通知に応じて、蓄電装置１８０に対して充電が行われているか否かを検出できる。
【０１０６】
蓄電装置１８０に対して充電が行われている場合には、充電に対応する処理をＭＣＵ１２０が行う。ＭＣＵ１２０は、過充電を防止するためにセルの電圧を監視する処理や各セルの温度を監視する処理、電流量を監視する処理等を厳格に行う。
【０１０７】
なお、充電時にＣ端子１１５と負極端子１１１とを必ずしも短絡させる必要はない。例えば、充電電圧検出部１４８が充電電圧を検出した場合に、スリープ状態のＭＣＵ１２０をアクティブ状態に遷移させるための制御信号を充電電圧検出部１４８が生成してもよい。この制御信号がＭＣＵ１２０に供給されることにより、ＭＣＵ１２０がアクティブ状態に遷移してもよい。
【０１０８】
なお、蓄電装置１８０は蓄電装置１００と同様に、負荷を有する外部装置に対して電力を供給できることは言うまでもない。
【０１０９】
ところで、セルの一例であるリチウムイオン２次電池は、安全に使用するための使用領域が設定されている。図７は、リチウムイオン２次電池の使用領域の一例を示す。リチウムイオン２次電池のセルの電圧が、例えば、４．３５Ｖより大きい場合は、セルの使用が禁止される。さらに、セルの電圧が４．２Ｖより大きくなるとセルの寿命が低下するため、４．２Ｖより小さい範囲でセルを使用することが望ましい。
【０１１０】
一方、セルの電圧が、例えば、２．５Ｖより小さい場合は、セルの使用が禁止される。さらに、セルの電圧が３．０Ｖより小さい場合は、セルが過放電の状態となるため、３．０Ｖより大きい範囲でセルを使用することが望ましい。すなわち、リチウムイオン２次電池の場合は、セルの電圧が３．０Ｖより大きく、４．２Ｖより小さい範囲で使用することが望ましい。もちろん、この数値は、電池の種類に応じて異なるものである。
【０１１１】
ここで、アクティブ状態の蓄電装置１８０が負荷（例えば、上述した外部装置１５０の負荷１５２）に対して電力を供給する場合を考える。電力の供給が継続すると、蓄電部１０３の残容量が低下し、セルの電圧が過放電領域または使用禁止領域に達するおそれがある。そこで、第２の実施形態における蓄電装置１８０は、Ｃ端子１１５の状態によって動作するものの、セルの電圧が所定の電圧より小さい場合にＣ端子１１５の状態に関わらず、セルの電圧に応じた処理を実行する。
【０１１２】
「処理の流れ」
図８は、蓄電装置１８０における処理の流れの一例を示すフローチャートである。ステップＳ１３０において、アクティブ状態の蓄電装置１８０は、外部装置１５０の負荷１５２に対して蓄電部１０３の電力（第１の電力）を供給する。そして、処理がステップＳ１３１に進む。
【０１１３】
ステップＳ１３１において、ＭＣＵ１２０は、各セルの電圧を取得する。各セルの電圧は、例えば、周期的に取得される。そして、ＭＣＵ１２０は、３つのセルの電圧のうち最も小さい電圧（適宜、最小電圧値と略称する）が第１の閾値より小さいか否かを判断する。第１の閾値は、例えば、セルが過放電領域に達する３．０Ｖに設定される。最小電圧値が第１の閾値より大きい場合には、処理がステップＳ１３１の判断が繰り返される。最小電圧値が３．０Ｖより小さい場合には、処理がステップＳ１３２に進む。
【０１１４】
ステップＳ１３２において、ＭＣＵ１２０は、Ｃ端子１１５の状態に関わらず放電制御スイッチ１４５ａをオフする。これにより、負荷１５２に対する電力の供給が停止する。但し、この場合には、負荷１５２に対する電力の供給を停止することを、ＭＣＵ１２０が外部制御部１５１に対して事前に通知することが望ましい。そして、処理がステップＳ１３３に進む。
【０１１５】
ステップＳ１３３では、Ｓ端子１１２を介して出力される電力が外部制御部１５１に供給され続ける。すなわち、負荷１５２に対する第１の電力の供給は停止するものの、外部制御部１５１に対する第２の電力の供給は継続される。
【０１１６】
ＭＣＵ１２０は、例えば、通信により蓄電部１０３の容量低下を外部制御部１５１に対して通知する。通知を受けた外部制御部１５１は、音声や表示等により蓄電部１０３の容量低下をユーザに対して報知し、充電を促す。上述したように、外部制御部１５１に対する電力の供給は継続されるため、外部制御部１５１は、蓄電部１０３の容量低下をユーザに報知する処理等を行うことができる。そして、処理がステップＳ１３４に進む
【０１１７】
ステップＳ１３４では、最小電圧値が第２の閾値より小さいか否かが判断される。第２の閾値は、例えば、セルが使用禁止領域に達する２．５Ｖに設定される。最小電圧値が第２の閾値より大きい場合には、処理がステップＳ１３４の判断が繰り返される。最小電圧値が３．０Ｖより小さい場合には、処理がステップＳ１３５に進む。
【０１１８】
ステップＳ１３５において、ＭＣＵ１２０はスイッチＳＷ１０１をオフし、外部制御部１５１に対する第２の電力の供給を停止する。これにより、使用禁止領域におけるセルの使用を防止できるとともに、セルの保護を図ることができる。
【０１１９】
なお、上述した例では、第２の閾値をセルの使用禁止領域に達する２．５Ｖに設定したが、第２の閾値を２．５Ｖより若干、高い電圧（例えば、２．６Ｖ）に設定してもよい。これにより、セルの電圧が使用禁止領域に達することを未然に防止できる。
【０１２０】
なお、例えば、最小電圧値が第１の閾値より小さく第２の閾値より大きい場合に、充電装置が蓄電装置１８０の接続される場合もある。充電装置が接続された場合には、割り込み処理として充電処理が行われる。
【０１２１】
図９は、充電処理の流れの一例を示すフローチャートである。ステップＳ１４０では、充電電圧の有無が監視される。すなわち、ＭＣＵ１２０は、最小電圧値が第１の閾値より小さい場合に、充電電圧検出部１４８からの通知を監視し、充電電圧の有無を判断する。そして、処理がステップＳ１４１に進む。
【０１２２】
ステップＳ１４１では、充電電圧検出部１４８により充電電圧の有無が判断される。充電電圧が無い場合は、処理がステップＳ１４１に戻り、ステップＳ１４１の判断が繰り返される。充電電圧が有る場合は、処理がステップＳ１４２に進む。
【０１２３】
ステップＳ１４２では、充電電圧検出部１４８からＭＣＵ１２０に対して、充電電圧が検出されたことが通知される。ＭＣＵ１２０は、この通知に応じて割り込み処理を行う。すなわち、ＭＣＵ１２０は、充電制御スイッチ１４４ａをオンする。これにより、充電装置による蓄電装置１８０に対する充電が開始される。そして、処理がステップＳ１４３に進む。
【０１２４】
ステップＳ１４３では、ＭＣＵ１２０による充電制御が行われる。セルの電圧やセルの温度の監視など、公知の処理が行われる。なお、蓄電部１０３に対する充電は、例えば、ＣＣＣＶ(Constant Voltage Constant Current)方式により行われる。そして、処理がステップＳ１４４に進む。
【０１２５】
ステップＳ１４４では、充電が完了したか否かが判断される。例えば、ＭＣＵ１２０は、３個のセルの電圧のうち最大の電圧が４．２Ｖに達したか否かにより充電が完了したか否かを判断する。３個のセルの電圧のうち最大の電圧が４．２Ｖに達していない場合は、充電が完了していないと判断され、ステップＳ１４４の判断が繰り返される。３個のセルの電圧のうち最大の電圧が４．２Ｖに達した場合は、充電が完了したと判断され、処理がステップＳ１４５に進む。
【０１２６】
ステップＳ１４５において、ＭＣＵ１２０は、充電制御を終了する。そして処理がステップＳ１４６に進む。ステップＳ１４６において、ＭＣＵ１２０は自身をスリープ状態に遷移させ、スリープ状態に応じた処理を実行する。なお、蓄電部１０３の容量が回復したことから、負荷１５２に対する電力の供給を再開してもよい。
【０１２７】
なお、セルの最小電圧値が３．０Ｖより小さい場合に、外部制御部１５１の消費電力と、使用禁止領域までの残量（この例では、０．５Ｖ）とから、最小電圧値が２．５Ｖに達するまでの期間をＭＣＵ１２０が演算してもよい。ＭＣＵ１２０は、タイマ等を使用して時間を計測し、計測時間が、演算により得られた期間を経過した場合にスイッチＳＷ１０１をオフする制御を行うようにしてもよい。
【０１２８】
「充電電圧検出部の変形例について」
図１０を参照して、充電電圧検出部の変形例について説明する。なお、図１０では、主として、充電電圧検出部に関係する箇所を図示している。図示した構成以外の構成は、図６の構成と同様である。
【０１２９】
この変形例では、放電制御部１４５と端子（上述した実施形態の例では正極端子１１０）との間のＰ１点において、電力ラインＰＬ１０５が電力ラインＰＬ１０５ａおよび電力ラインＰＬ１０５ｂに分岐する。電力ラインＰＬ１０５ａに対して、端子１９０が接続される。電力ラインＰＬ１０５ｂに対して、端子１９１が接続される。端子１９０に対しては、放電器（負荷）１９８が接続される。端子１９１に対して、充電器１９９が接続される。
【０１３０】
電力ライン１０５ｂに、端子１９１側がアノードとなるようにダイオード１９２が接続される。ダイオード１９２により、端子１９１に接続された充電器１９９に対して電流が流れ込むことを防止できる。
【０１３１】
端子１９１とダイオード１９２との間の接続中点に対して、抵抗Ｒ１および抵抗Ｒ２かなる抵抗分圧回路が接続される。この抵抗Ｒ１および抵抗Ｒ２と、ダイオード１９２とによって充電電圧検出部１９５が構成される。すなわち、端子１９１に対して充電器１９９が接続されると、抵抗分圧回路により所定の電圧が抵抗Ｒ１と抵抗Ｒ２との間の接続点（Ｐ２点）に発生する。Ｐ２点に発生した所定の電圧がＭＣＵ１２０に入力される。ＭＣＵ１２０は、この電圧を検出することにより充電の有無を検出することができる。
【０１３２】
ダイオード１９２と端子１９１に接続される充電器１９９との間の電圧を監視することにより、ＭＣＵ１２０は、充電電圧の有無を簡単に判定することができる。なお、ＭＣＵ１２０がＡＤ変換機能を有する構成とし、Ｐ２点に発生した所定のアナログデータである電圧が、ＭＣＵ１２０によりデジタルデータに変換されてもよい。
【０１３３】
＜３．応用例＞
本開示における蓄電装置の応用例について説明する。図１１は、本開示を電動自転車に対して適用した場合の、電動自転車の構成の一例を概略的に示したものである。
【０１３４】
電動自転車２００は、補助駆動力ｆａを供給する補助駆動装置２０７を有する。補助駆動装置２０７は、補助駆動力ｆａを発生させるモータ２１４と、減速機２１５と、補助駆動力ｆａをチェーン２１２に出力する駆動部２１６と、ペダル２０９に作用する踏力ｆｈを検出するトルクセンサ２１７と、制御部２１８とを有している。トルクセンサ２１７はクランク軸２０６にかかるトルクから踏力ｆｈを検出するものであり、例えば磁歪センサ等が用いられる。
【０１３５】
クランク軸２０６の両端には、踏力ｆｈが加えられる左右のペダル２０９が取付けられている。また、後輪２０５はチェーン２１２を介してクランク軸２０６に連動連結されており、踏力ｆｈおよび補助駆動力ｆａはチェーン２１２を介して後輪２０５に伝達される。
【０１３６】
制御部２１８は、マイクロコンピュータを含む電気回路等により構成されており、不揮発性メモリからなる記憶部等を備える。制御部２１８は、トルクセンサ２１７から随時入力される検出信号に基づいてモータ２１４を制御している。制御部２１８が外部制御部に相当する。
【０１３７】
電動自転車２００の車体に対して、蓄電装置２１９が着脱自在とされる。蓄電装置２１９は、電動自転車２００に装着された状態で補助駆動装置２０７に給電する。この蓄電装置２１９に対して、本開示の蓄電装置を適用できる。
【０１３８】
すなわち、蓄電装置２１９は、モータ２１４に第１の電力を供給する。さらに、制御部２１８に対して第２の電力を供給する。なお、補助駆動装置２０７の制御部２１８と蓄電装置２１９における制御部（内部制御部）２１９ａとの間で通信が行われる。
【０１３９】
図１２は、本開示の蓄電装置を電動自動車用の蓄電装置に適用した場合の、電動自動車の構成の一例を概略的に示したものである。図１２に例示する電動自動車は、シリーズハイブリッドシステムを採用するハイブリッド車両である。シリーズハイブリッドシステムはエンジンで動かす発電機で発電された電力、あるいはそれを電池に一旦貯めておいた電力を用いて、電力駆動力変換装置で走行する車である。
【０１４０】
ハイブリッド車両３００には、エンジン３０１、発電機３０２、電力駆動力変換装置３０３、駆動輪３０４ａ、駆動輪３０４ｂ、車輪３０５ａ、車輪３０５ｂ、蓄電装置３０８、車両制御装置３０９、各種センサ３１０、充電口３１１が搭載されている。
【０１４１】
ハイブリッド車両３００は、電力駆動力変換装置３０３を動力源として走行する。電力駆動力変換装置３０３の一例は、モータである。蓄電装置３０８の電力によって電力駆動力変換装置３０３が作動し、この電力駆動力変換装置３０３の回転力が駆動輪３０４ａ、３０４ｂに伝達される。なお、必要な個所に直流−交流（ＤＣ−ＡＣ）あるいは逆変換（ＡＣ−ＤＣ変換）を用いることによって、電力駆動力変換装置３０３が交流モータでも直流モータでも適用可能である。
【０１４２】
各種センサ３１０は、車両制御装置３０９を介してエンジン回転数を制御したり、図示しないスロットルバルブの開度（スロットル開度）を制御したりする。各種センサ３１０には、速度センサ、加速度センサ、エンジン回転数センサなどが含まれる。
【０１４３】
エンジン３０１の回転力は発電機３０２に伝えられ、その回転力によって発電機３０２により生成された電力を蓄電装置３０８に蓄積することが可能である。
【０１４４】
図示しない制動機構によりハイブリッド車両が減速すると、その減速時の抵抗力が電力駆動力変換装置３０３に回転力として加わり、この回転力によって電力駆動力変換装置３０３により生成された回生電力が蓄電装置３０８に蓄積される。
【０１４５】
蓄電装置３０８は、ハイブリッド車両の外部の電源に接続されることで、その外部電源から充電口３１１を入力口として電力供給を受け、受けた電力を蓄積することも可能である。
【０１４６】
蓄電装置３０８に対して、本開示における蓄電装置を適用できる。すなわち、蓄電装置３０８は、負荷の一例である電力駆動力変換装置３０３に第１の電力を供給する。さらに、蓄電装置３０８は、車両制御装置３０９に対して第２の電力を供給する。車両制御装置３０９と蓄電装置３０８における制御部（図示は省略している）との間で通信が行われる。
【０１４７】
図示しないが、蓄電装置３０８の蓄電部に関する情報に基づいて車両制御に関する情報処理を行なう情報処理装置を備えていても良い。このような情報処理装置としては、例えば、蓄電部の残容量に関する情報に基づき、電池残容量表示を行う情報処理装置などがある。
【０１４８】
なお、以上は、エンジンで動かす発電機で発電された電力、或いはそれを電池に一旦貯めておいた電力を用いて、モータで走行するシリーズハイブリッド車を例として説明した。しかしながら、エンジンとモータの出力がいずれも駆動源とし、エンジンのみで走行、モータのみで走行、エンジンとモータ走行という３つの方式を適宜切り替えて使用するパラレルハイブリッド車に対しても本開示は有効に適用可能である。さらに、エンジンを用いず駆動モータのみによる駆動で走行する所謂、電動車両に対しても本開示は有効に適用可能である。
【０１４９】
本開示が応用できる装置は、例示した電動自転車および電動自転車に限定されない。電動車いす等を含む電動車両や各種の電子機器に対して本開示の蓄電装置を適用できる。
【０１５０】
＜４．変形例＞
以上、本開示の実施形態について具体的に説明したが、本開示は、上述の実施形態に限定されるものではなく、本開示の技術的思想に基づく各種の変形が可能である。
【０１５１】
実施形態において例示した構成は、当該構成と同様の機能を有する構成に置き換えることができる。例えば、電流検出抵抗がクーロンカウンタにより構成されてもよい。蓄電装置におけるＭＣＵがクーロンカウンタの値を読み込むことにより電流を監視するようにしてもよい。この場合は、スリープ状態においてＭＣＵがクーロンカウンタを読み込む周期を、アクティブ状態においてＭＣＵがクーロンカウンタを読み込む周期よりも長くすることができる。クーロンカウンタの動作自体をスリープ状態として消費電力を小さくするようにしてもよい。
【０１５２】
蓄電部を構成する２次電池は、リチウムイオン２次電池に限らず、他の２次電池も適用できる。
【０１５３】
さらに、本開示は、装置に限らず、方法、プログラム、複数の装置からなるシステムとして実現することができる。プログラムは、ネットワークを介して、若しくは、光ディスクや半導体メモリ等の可搬型のメモリを介してユーザに提供し得る。
【０１５４】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。
【０１５５】
本開示は、例示した処理が複数の装置によって分散されて処理される、いわゆるクラウドシステムに対して適用することもできる。実施形態および変形例において例示した処理が実行されるシステムであって、例示した処理の少なくとも一部の処理が実行される装置として、本開示を実現することができる。
【０１５６】
本開示は、以下の構成をとることもできる。
（１）
１または複数のセルからなる蓄電部と、
前記蓄電部に関連する制御を行う第１の制御部と、
前記蓄電部から出力される第１の電力を、負荷に対して供給する第１の電力ラインと、
外部の装置が有する第２の制御部に対して、前記第１の電力より小さい第２の電力を供給する第２の電力ラインと、
前記第１の制御部と前記第２の制御部とが通信を行う通信ラインと
を備える蓄電装置。
（２）
前記第１の制御部は、前記通信ラインの状態の変化に応じて、第１の状態から第２の状態に遷移する
（１）に記載の蓄電装置。
（３）
前記第１の制御部は、前記第１の状態から前記第２の状態に遷移することに応じて、少なくとも、前記負荷に対して前記第１の電力を供給するための処理を実行する
（２）に記載の蓄電装置。
（４）
前記第１の状態において前記第１の制御部が実行する処理の消費電力が、前記第２の状態において前記第１の制御部が実行する処理の消費電力に比して小さい
（２）または（３）に記載の蓄電装置。
（５）
前記第１の電力を変換することにより前記第２の電力を形成し、前記第２の電力ラインに接続される電力変換部を備える
（１）乃至（４）のいずれかに記載の蓄電装置。
（６）
前記第１の制御部は、前記蓄電部の電圧が第１の閾値を下回る場合に前記通信ラインの状態に関わらず前記負荷に対する前記第１の電力の供給を停止し、前記蓄電部の電圧が前記第１の閾値より小さい第２の閾値を下回る場合に、前記第２の制御部に対する前記第２の電力の供給を停止する
（１）乃至（５）のいずれかに記載の蓄電装置。
（７）
前記第２の電力ラインに接続されるスイッチを備え、
前記第１の制御部は、前記蓄電部の電圧が前記第２の閾値を下回る場合に、前記スイッチをオフすることにより前記第２の制御部に対する前記第２の電力の供給を停止する
（６）に記載の蓄電装置。
（８）
充電電圧を検出する検出部を備え、
前記第１の制御部は、前記検出部により充電電圧が検出される場合に充電のための制御を実行する
（６）または（７）に記載の蓄電装置。
（９）
前記第１の電力ラインは、正の電力ラインと、負の電力ラインとを含み、
前記正の電力ラインにおける前記蓄電部の正極側から、充電制御用の第１のスイッチング素子と、放電制御用の第２のスイッチング素子とが接続され、
前記第１のスイッチング素子と前記第２のスイッチング素子との接続点に対して、前記第１の制御部および前記第２の電力ラインが接続される
（１）乃至（８）のいずれかに記載の蓄電装置。
（１０）
前記セルは、リチウムイオン２次電池セルにより構成される
（１）乃至（９）のいずれかに記載の蓄電装置。
（１１）
第１の装置と第２の装置とかなり、
前記第１の装置は、
１または複数のセルからなる蓄電部と、
前記蓄電部に関連する制御を行う第１の制御部と、
前記蓄電部から出力される第１の電力を、負荷に対して供給する第１の電力ラインと、
第２の制御部に対して、前記第１の電力より小さい第２の電力を供給する第２の電力ラインと、
前記第１の制御部と前記第２の制御部とが通信を行う通信ラインと
を備え、
前記第２の装置は、
前記第１の電力ラインを介して前記第１の電力が供給される前記負荷と、
前記第２の電力ラインを介して前記第２の電力が供給され、かつ、前記通信ラインを介して前記第１の制御部と通信を行う前記第２の制御部と
を備える蓄電システム。
（１２）
前記第１の制御部は、前記通信ラインの状態の変化に応じて、第１の状態から第２の状態に遷移し、
前記第２の制御部は、所定の入力を検出することに応じて前記通信ラインの状態を変化させる
（１１）に記載の蓄電システム。
（１３）
１または複数のセルからなる蓄電部と、
前記蓄電部に関連する制御を行う第１の制御部と、
前記蓄電部から出力される第１の電力を、負荷に対して供給する第１の電力ラインと、
外部の装置が有する第２の制御部に対して、前記第１の電力より小さい第２の電力を供給する第２の電力ラインと、
前記第１の制御部と前記第２の制御部とが通信を行う通信ラインとを備える蓄電装置
を備える電動車両。
【符号の説明】
【０１５７】
１００・・・蓄電装置
１０３・・・蓄電部
１２０・・・ＭＣＵ
１４０・・・ヒューズ
１４４ａ・・・充電制御スイッチ
１４５ａ・・・放電制御スイッチ
１５０・・・外部装置
１５１・・・外部制御部
１５２・・・負荷
ＣＥ・・・セル
ＰＬ１０５・・・（正の）電力ライン
ＰＬ１０６・・・（負の）電力ライン
ＰＬ１０７・・・電力ライン
ＳＬ１０９・・・通信ライン
【図１】
2014162645.tif 000003
【図２】
2014162645.tif 000004
【図３】
2014162645.tif 000005
【図４】
2014162645.tif 000006
【図５】
2014162645.tif 000007
【図６】
2014162645.tif 000008
【図７】
2014162645.tif 000009
【図８】
2014162645.tif 000010
【図９】
2014162645.tif 000011
【図１０】
2014162645.tif 000012
【図１１】
2014162645.tif 000013
【図１２】
2014162645.tif 000014
【国際調査報告】
2014162645.tif 000015
2014162645.tif 000016
2014162645.tif 000017
2014162645.tif 000018